(57)【特許請求の範囲】
【請求項１】
外継手との間で軒樋端部同士を挟持接続する軒樋継手の内継手であって、内継手の側壁および底壁の略中央部分が帯状に凹んだ形状の接着剤溜まり部、および接着剤溜まり部への通気のための通気部として、内継手の左右端縁と接着剤溜まり部とを連通する通気溝を有しており、軒樋接続時に接着剤が接着剤溜まり部に溜まり、その接着剤中の溶剤が通気溝を介して外気と接触できるようになっていることを特徴とする軒樋継手の内継手。
【請求項２】
通気溝は、溝幅０．５〜２．０ｍｍであることを特徴とする請求項１記載の軒樋継手の内継手。
【請求項３】
請求項１または２に記載の内継手を備えたことを特徴とする軒樋継手。
【発明の詳細な説明】
【技術分野】
【０００１】
本願発明は、軒樋の端部同士を接続する軒樋継手に関するものである。
【背景技術】
【０００２】
従来、住宅等の建物の軒先には軒樋（雨樋とも呼ぶ）が設けられるが、その際、図５や図６に例示したように、隣り合う軒樋１を軒樋継手２により接続することがしばしばある（たとえば特許文献１−６参照）。
【０００３】
この軒樋継手２は、軒樋１の外周面１１に沿った外継手２１と軒樋１の内周面１２に沿った内継手２２とで、軒樋１の端部同士を上下から挟持して接続する。
【特許文献１】特開平８−１７７１８０号公報
【特許文献２】特開平８−１７７１８１号公報
【特許文献３】特開２００２−３４９０２７号公報
【特許文献４】特開２００１−１４０４２０号公報
【特許文献５】特開２００２−１０６１２３号公報
【特許文献６】特開２００３−６４８３３号公報
【発明の開示】
【発明が解決しようとする課題】
【０００４】
しかしながら、上記従来の軒樋継手２においては、図７に例示したように、外継手２１、内継手２２と軒樋１端部を接着する接着剤３を規定量より多く施工すると、軒樋１端部間の空間に接着剤３が溜まり過ぎて、その部分の外継手２１が接着剤３の溶剤に犯され、外観に膨潤による変形が発生する場合がある。
【０００５】
逆に、膨潤の発生を抑制するために接着剤３を規定量以下にすると、水漏れが発生することも考えられる。
【０００６】
そこで、以上のとおりの事情に鑑み、本願発明は、軒樋継手による軒樋端部同士の接続の際に用いられる接着剤を規定量以上塗布した場合であっても、外継手の外観に膨潤による変形が生じることのない、内継手およびこれを備えた軒樋継手を提供することを課題としている。
【課題を解決するための手段】
【０００７】
本願発明の内継手は、上記の課題を解決するものとして、第１には、外継手との間で軒樋端部同士を挟持接続する軒樋継手の内継手であって、内継手の側壁および底壁の略中央部分が帯状に凹んだ形状の接着剤溜まり部、および接着剤溜まり部への通気のための通気部として、内継手の左右端縁と接着剤溜まり部とを連通する通気溝を有しており、軒樋接続時に接着剤が接着剤溜まり部に溜まり、その接着剤中の溶剤が通気溝を介して外気と接触できるようになっていることを特徴とする。
【０００８】
第２には、通気溝は、溝幅０．５〜２．０ｍｍであることを特徴とする。
【０００９】
第３には、前記内継手を備えたことを特徴とする。
【発明の効果】
【００１３】
上記第１〜第３の発明によれば、内継手における上記接着剤溜まり部、および通気溝の存在によって、施工時に規定量以上の接着剤が塗布されたとしても、余分な接着剤は接着剤溜まり部に溜まるとともに通気溝を介した外気との接触による通気効果によって気散することとなり、これにより、余分な接着剤が原因の外継手の膨潤が防止され、膨潤変形による外観の違和感が生じることのない軒樋継手が実現される。
【発明を実施するための最良の形態】
【００１４】
［第一の実施形態］
図１および図２は本願発明の一実施形態を示したものである。
【００１５】
本実施形態では、軒樋１の外周面１１に沿った外継手２１と軒樋１の内周面１２に沿った内継手２２とで軒樋１の端部同士を上下から挟持して接続する構造の軒樋継手２において、内継手２２に、その外壁面と軒樋１の内周面１２を接着する接着剤３が溜まる接着剤溜まり部２３、および接着剤溜まり部２３への通気のための通気部２４が設けられている。
【００１６】
さらに説明すると、接着剤溜まり部２３は、内継手２２における側壁２２１および底壁２２２の略中央部分が帯状にぐるりと凹んだ形状を有しており、凹み部分に接着剤３が溜まるようになっている。
【００１７】
通気部２４は、内継手２２の側壁２２１および底壁２２２にて、それぞれの左右端縁と接着剤溜まり部２３とを連通するように左右方向に延びた溝形状を有する通気溝２４１となっており、それが複数本適当な間隔をおいて互いに並行に設けられている。このとき、たとえば、通気溝２４１の溝幅は０．５ｍｍ〜２．０ｍｍとする。
【００１８】
そして、これら接着剤溜まり部２３および通気溝２４１の存在により、接着剤３を塗布して外継手２１および内継手２２を軒樋１端部に圧着させたときに（図２参照）、接着剤３が規定量以上塗布されていたとしても、余分な接着剤３が接着剤溜まり部２３に溜まり、その接着剤３中の溶剤成分が通気溝２４１を通して外気と接触し気散することで、溶剤溜まりが原因の外継手２１の膨潤が生じなくなる。
【００１９】
［第二の実施形態］
図３および図４は本願発明の別の一実施形態を示したものであり、上記通気部２４が通気孔２４２となっている。
【００２０】
さらに説明すると、まず、接着剤溜まり部２３は、上記第一の実施形態におけるものよりもより広い面積で側壁２２１および底壁２２２が凹んだ形状となっており、この接着剤溜まり部２３内にて、通気部２４としての通気孔２４２が、内継手２２の雨水が流れる内壁面とそれとは反対の外壁面に形成されている接着剤溜まり部２３とを連通するように内外方向に貫通して複数設けられている。このとき、たとえば、通気孔２４２の直径は０．５ｍｍ〜２．０ｍｍとする。
【００２１】
本実施形態においても、上記第一の実施形態と同様に、接着剤溜まり部２３および通気孔２４２の存在により、接着剤溜まり部２３に溜まった余分な接着剤３の溶剤成分が通気孔２４２を介した通気効果により気散して、外継手２１の膨潤による変形が防止される。
【００２２】
また、通気孔２４２は内継手２２の側壁２２１および底壁２２２を貫通するものとなっているが、外継手２１と内継手２２で軒樋１端部を挟み込んで接続する構造であるため、止水機能は外継手２１で十分に満足している。このことは上記第一の実施形態における通気溝２４１についても同様であり、通気溝２４１から雨水が浸入しても、外継手２１にて止水できる構造となっている。
【００２３】
なお、図３および図４では、側壁２２１における接着剤溜まり部２３の略中央位置に、縦方向に延びた板片状の突起２５が設けられており、この突起２５は軒樋１の端部間に入り込むようになっている。
【図面の簡単な説明】
【００２４】
【図１】本願発明の一実施形態を示した斜視図。
【図２】本願発明の一実施形態を示した模式断面図。
【図３】本願発明の別の一実施形態を示した斜視図。
【図４】本願発明の別の一実施形態を示した模式断面図。
【図５】従来の軒樋継手を例示した分解斜視図。
【図６】従来の別の軒樋継手を例示した分解斜視図（ａ）及び施工後断面図（ｂ）。
【図７】従来の軒樋継手を例示した模式断面図。
【符号の説明】
【００２５】
１  軒樋
１１  外周面
１２  内周面
２  軒樋継手
２１  外継手
２２  内継手
２２１  側壁
２２２  底壁
２３  接着剤溜まり部
２４  通気部
２４１  通気溝
２４２  通気孔
２５  突起
３  接着剤
【図１】
0004569480.tif 000002
【図２】
0004569480.tif 000003
【図３】
0004569480.tif 000004
【図４】
0004569480.tif 000005
【図５】
0004569480.tif 000006
【図６】
0004569480.tif 000007
【図７】
0004569480.tif 000008